(57)【要約】  インテリジェント薬剤箱カバー（１００）、インテリジェント薬剤箱及び航空機であって、インテリジェント薬剤箱カバー（１００）は、上部カバー（１１）、下部カバー（１０）、制御モジュール（３）、液位測定モジュール（２）、通信モジュール（４）及び電源モジュール（５）を含み、上部カバー（１１）と下部カバー（１０）との間に密閉された収容空間が規定され、制御モジュール（３）、通信モジュール（４）及び電源モジュール（５）などの電子素子は、いずれも収容空間内に配置され、外部と導電可能な物理的接触がなく、使用時には、液位測定モジュール（２）だけが液面の下に浸入するため、電子素子がうまく保護され、さらに液位検出の安定性、正確性を保証し、インテリジェント薬剤箱及びその薬剤箱カバー（１００）の耐用年数を向上させ、無人航空機による正確な散布を保証する。
2021504687.tif 000002
【特許請求の範囲】
【請求項１】
薬剤箱カバー本体と、いずれも前記薬剤箱カバー本体に設けられた液位測定モジュールと、制御モジュールと、通信モジュールと、電源モジュールとを含むインテリジェント薬剤箱カバーであって、前記液位測定モジュールと前記通信モジュールは、いずれも前記制御モジュールに電気的に接続され、前記制御モジュールは、前記液位測定モジュールの検出結果を受信して処理し、制御コマンドを出力して前記通信モジュールを外部機器と通信するように駆動し、前記電源モジュールは、このインテリジェント薬剤箱カバーに電力を供給し、
前記薬剤箱カバー本体は、仕切り板によって上部キャビティ及び下部キャビティに仕切られた下部カバーと、取り外し可能に前記上部キャビティを蓋合し、且つ前記下部カバーと密閉された収容空間を規定する上部カバーとを含み、
前記制御モジュール、前記通信モジュール及び前記電源モジュールは、いずれも前記収容空間内に設けられ、
前記液位測定モジュールは、一端が前記仕切り板を貫通して前記制御モジュールに電気的に接続され、他端が、このインテリジェント薬剤箱カバーが箱本体を蓋合したときに箱本体内に差し込み、箱本体の底壁に当接可能に設けられたプローブを含む、インテリジェント薬剤箱カバー。
【請求項２】
前記上部キャビティ内には、前記制御モジュール、前記通信モジュール及び前記電源モジュールが集積されている回路基板が設けられ、
前記液位測定モジュールは、前記仕切り板に、前記回路基板上の制御モジュールに電気的に接続される導電性接点が設けられる、請求項１に記載のインテリジェント薬剤箱カバー。
【請求項３】
前記回路基板には、複数の固定孔が設けられ、ネジが前記固定孔を貫通してナットコラムに接続されることにより前記回路基板を前記仕切り板に固定するように、前記仕切り板には、前記固定孔ごとに対応してナットコラムが設けられている、請求項２に記載のインテリジェント薬剤箱カバー。
【請求項４】
前記上部カバーは、前記下部カバーと螺合され、スナップ接続され、又は締まり嵌めされる、請求項１に記載のインテリジェント薬剤箱カバー。
【請求項５】
前記通信モジュールは、無線通信モジュールであり、外部機器と無線通信するように設けられる、請求項１に記載のインテリジェント薬剤箱カバー。
【請求項６】
前記仕切り板の下面には、仕切り板の強度を補強するように設置された横方向スティフナーが設けられる、請求項１に記載のインテリジェント薬剤箱カバー。
【請求項７】
前記電源モジュールは、ボタン型電池を含む、請求項１に記載のインテリジェント薬剤箱カバー。
【請求項８】
前記下部カバーの側壁には、複数の溝が均一に設けられる、請求項１〜７のいずれか１項に記載のインテリジェント薬剤箱カバー。
【請求項９】
薬剤箱本体と、前記薬剤箱本体の上端を蓋合し、前記プローブが前記薬剤箱本体内に差し込む請求項１〜７のいずれか１項に記載のインテリジェント薬剤箱カバーである薬剤箱カバーとを含む、インテリジェント薬剤箱。
【請求項１０】
前記薬剤箱本体は、逆Ｌ型に設置される、請求項９に記載のインテリジェント薬剤箱。
【請求項１１】
請求項９又は１０に記載のインテリジェント薬剤箱が設けられ、前記通信モジュールに電気的に接続される航空機本体を含む、航空機。
【発明の詳細な説明】
【技術分野】
【０００１】
本実用新案は、植物保護の技術分野に関し、特にインテリジェント薬剤箱カバー及び前記インテリジェント薬剤箱カバーを用いたインテリジェント薬剤箱、航空機に関する。
【背景技術】
【０００２】
インテリジェント薬剤箱は、その内容薬剤を自動秤量する特性を有し、現在の薬剤の使用量をリアルタイムで正確に統計し、無人航空機による薬剤の正確な散布作業過程において比較的に重要な役割を果たす。
【０００３】
インテリジェント薬剤箱は、薬剤箱本体と、薬剤箱本体に接続され、薬剤箱内の液体の高さ（即ち、液位）をリアルタイムに検出し、検出結果を無人航空機の制御システムにフィードバックして、液位の検出結果よって薬剤の散布を制御するためのインテリジェント薬剤箱カバーとを含む。
【０００４】
しかしながら、インテリジェント薬剤箱カバーの内部の制御モジュール、通信モジュール及び電源モジュールは、保護不足のため、長期間の使用中に、外力によって破壊されたり、薬液によって腐食されたりして破損しやすく、耐用年数が短い。
【発明の概要】
【発明が解決しようとする課題】
【０００５】
本実用新案は、耐用年数が長く、メンテナンス操作の難易度が低く、コストが低いインテリジェント薬剤箱カバーを提供することを主な目的とする。
【０００６】
本実用新案は、上記インテリジェント薬剤箱カバーを用いたインテリジェント薬剤箱を提供することを別の目的とする。
【０００７】
本実用新案は、上記インテリジェント薬剤箱を用いた航空機を提供することをまた別の目的とする。
【課題を解決するための手段】
【０００８】
上記目的を達成するために、本実用新案は以下のような技術案を提供する。
薬剤箱カバー本体と、いずれも前記薬剤箱カバー本体に設けられた液位測定モジュールと、制御モジュールと、通信モジュールと、電源モジュールとを含むインテリジェント薬剤箱カバーであって、前記液位測定モジュールと前記通信モジュールは、いずれも前記制御モジュールに電気的に接続され、前記制御モジュールは、前記液位測定モジュールの検出結果を受信して処理し、制御コマンドを出力して前記通信モジュールを外部機器と通信するように駆動し、前記電源モジュールは、このインテリジェント薬剤箱カバーに電力を供給し、
前記薬剤箱カバー本体は、仕切り板によって上部キャビティ及び下部キャビティに仕切られた下部カバーと、取り外し可能に前記上部キャビティを蓋合し、且つ前記下部カバーと密閉された収容空間を規定する上部カバーとを含み、
前記制御モジュール、前記通信モジュール及び前記電源モジュールは、いずれも前記収容空間内に設けられ、
前記液位測定モジュールは、一端が前記仕切り板を貫通して前記制御モジュールに電気的に接続され、他端が、このインテリジェント薬剤箱カバーが箱本体を蓋合したときに箱本体内に差し込み、箱本体の底壁に当接可能に設けられたプローブを含む、インテリジェント薬剤箱カバー。
【０００９】
好ましくは、前記上部キャビティ内には、前記制御モジュール、前記通信モジュール及び前記電源モジュールが集積されている回路基板が設けられ、前記液位測定モジュールは、前記仕切り板に、前記回路基板上の制御モジュールに電気的に接続される導電性接点が設けられる。
【００１０】
好ましくは、前記回路基板には、複数の固定孔が設けられ、ネジが前記固定孔を貫通してナットコラムに接続されることにより前記回路基板を前記仕切り板に固定するように、前記仕切り板には、前記固定孔ごとに対応してナットコラムが設けられている。
【００１１】
好ましくは、前記上部カバーは、前記下部カバーと螺合され、スナップ接続され、又は締まり嵌めされる。
【００１２】
好ましくは、前記通信モジュールは、無線通信モジュールであり、外部機器と無線通信するように設けられる。
【００１３】
好ましくは、前記仕切り板の下面には、仕切り板の強度を補強するように設置された横方向スティフナーが設けられる。
【００１４】
好ましくは、前記電源モジュールは、ボタン型電池を含む。
【００１５】
好ましくは、前記下部カバーの側壁には、複数の溝が均一に設けられる。
【００１６】
また、本実用新案は、さらに、薬剤箱本体と、前記薬剤箱本体の上端を蓋合し、前記プローブが前記薬剤箱本体内に入り込む上記インテリジェント薬剤箱カバーとを含むインテリジェント薬剤箱に関する。
【００１７】
好ましくは、前記薬剤箱本体は、逆Ｌ型に設置される。
【００１８】
また、本実用新案は、さらに、航空機に関する。航空機本体と、前記航空機本体に設けられた上記インテリジェント薬剤箱とを含み、前記通信モジュールは、前記航空機本体に電気的に接続される。
【発明の効果】
【００１９】
従来技術に比べて、本実用新案の手段は、以下の利点を有する。
【００２０】
１、本実用新案のインテリジェント薬剤箱カバーにおいて、制御モジュール、通信モジュール及び電源モジュールなどの電子素子がカバー本体の密閉された収容空間内に設けられたため、外力による破壊又は液体の入りにより、電子素子の動作の障害を引き起こすことを防止し、前記インテリジェント薬剤箱カバーの耐用年数を効果的に延長し、さらにインテリジェント薬剤箱の安定で、正確な作業を保証することができる。
【００２１】
２、前記インテリジェント薬剤箱カバーにおいて、上部カバーと下部カバーとは締り嵌めなどの方法により取り外し可能に接続され、インテリジェント薬剤箱カバーへのメンテナンス及び保守が容易になる。
【００２２】
３、前記インテリジェント薬剤箱カバーの外周に複数の溝が設けられ、使用時に使用者と薬剤箱カバーとの摩擦力を増大させ、薬剤箱カバーの外面が濡れることにより開きにくいという問題が発生することを防止する。
【００２３】
本実用新案の付加的な態様及び利点は、以下の説明において部分的に示され、これらが以下の説明において明らかになり、又は本実用新案の実践により理解できる。
【図面の簡単な説明】
【００２４】
本実用新案の上記の及び／又は追加の態様及び利点は、以下の図面を参照して実施例に対する説明から明らかになり、かつ理解しやすくなる。
【００２５】
【図１】本実用新案のインテリジェント薬剤箱カバーの分解図である。
【発明を実施するための形態】
【００２６】
以下、本実用新案の実施例を詳細に説明し、前記実施例の例は図面に示され、同一又は類似の符号は、同一又は類似の素子、あるいは同一又は類似の機能を有する素子を一貫して表す。以下、図面を参照しながら説明した実施例は例示的なものであり、本実用新案を解釈するためのものに過ぎず、本実用新案を限定するものと解釈してはいけない。
【００２７】
本実用新案は、インテリジェント薬剤箱に適用し、さらにインテリジェント薬剤箱と共に航空機、例えば無人航空機に搭載されるインテリジェント薬剤箱カバーを提供する。前記インテリジェント薬剤箱カバーは、前記インテリジェント薬剤箱内の液体の液位をリアルタイムに検出し、検出結果を無人航空機の制御システムにフィードバックすることで、無人航空機が検出結果に基づいて具体的な操作を実行し、例えば、液位が所定の高さより低い場合に着地し、使用者に薬剤を添加することを通知する。
【００２８】
図１に示すように、前記インテリジェント薬剤箱カバー１００は、薬剤箱カバー本体（符号なし、以下同様）と、いずれも前記薬剤箱カバー本体に設けられた液位測定モジュール２と、制御モジュール３と、通信モジュール４と、電源モジュール５とを含み、前記液位測定モジュール２、通信モジュール４は、いずれも前記制御モジュール３に電気的に接続され、前記制御モジュール３は、前記液位測定モジュール２の検出結果を受信して処理し、制御コマンドを出力して前記通信モジュール４を前記無人航空機（図示せず、以下同様）と通信するように駆動し、前記電源モジュール５は、このインテリジェント薬剤箱カバー１００に電力を供給する。
【００２９】
前記薬剤箱カバー本体は、仕切り板１２によって上部キャビティ（符号なし）及び下部キャビティ（符号なし）に仕切られた下部カバー１０と、取り外し可能に前記上部キャビティを蓋合し、且つ前記下部カバー１０と密閉された収容空間を規定する上部カバー１１とを含み、前記下部キャビティの内側壁には、前記インテリジェント薬剤箱（図示せず、以下同様）の薬剤箱口と螺合されるように設けられた雌ねじが形成されている。
【００３０】
前記収容空間内に回路基板６が固設され、前記制御モジュール３、通信モジュール４及び電源モジュール５は、いずれも前記回路基板６に設けられる。
【００３１】
前記液位測定モジュール２は、一端が前記仕切り板１２を貫通して前記制御モジュール３に電気的に接続され、他端が、このインテリジェント薬剤箱カバー１００が薬剤箱口を蓋合したときに薬剤箱内に差し込み、箱本体の底壁に当接するように設けられるプローブを含む。
【００３２】
これにより、インテリジェント薬剤箱カバー１００の使用時に、液位測定モジュールのプローブだけが下部カバー１０の下方に設けられて被測定液体内に入り、液位の高さを測定し、制御モジュール３、通信モジュール４及び電源モジュール５などの電子素子は、いずれも下部カバー１０の上部の密閉空間内に設けられ、液体が入って電子素子が腐食されることを回避できるだけでなく、外力によって損傷することを回避できるため、インテリジェント薬剤箱カバー１００の耐用年数を延長し、インテリジェント薬剤箱の安定で、正確な作動を保証する。
【００３３】
好ましくは、前記液位測定モジュール２は、前記仕切り板に、前記回路基板６上の制御モジュールに電気的に接続される導電性接点２１が設けられる。
【００３４】
好ましくは、前記回路基板６には、均一に分布された複数の固定孔６１が設けられ、前記仕切り板１２には、前記固定孔ごとに対応されるナットコラム１２１が設けられていて、ネジが前記固定孔６１を貫通してナットコラム１２１に接続されることにより前記回路基板６を前記仕切り板１２に固定する。他の実施形態において、回路基板上の電子素子又は導体を避けるように、前記固定孔は、前記回路基板に不均一に分布して設けられてもよい。
【００３５】
好ましくは、前記上部カバー１１は、前記下部カバー１０と螺合され、スナップ接続され、又は締まり嵌めされることによって取り外し可能に接続されるため、上部カバーと下部カバーの着脱を容易にし、さらにこのインテリジェント薬剤箱カバーへのメンテナンス及び保守を容易にする。
【００３６】
好ましくは、前記通信モジュール４は、無線通信モジュール、例えば、ブルートゥース通信モジュールであり、前記無人航空機と無線通信する。インテリジェント薬剤箱カバー１００と無人航空機との通信を無線通信とすることにより、通信ケーブルの配線の難題を回避することができる。
【００３７】
なお、本実施形態において、前記インテリジェント薬剤箱カバーと無人航空機とがブルートゥース通信モジュールによって通信しているが、インテリジェント薬剤箱カバーと無人航空機とが通信ケーブルによって通信することは排除されないということが理解できる。
【００３８】
好ましくは、前記仕切り板１２の下面には、仕切り板の強度を補強するための横方向スティフナー（図示せず）が設けられている。
【００３９】
好ましくは、前記電源モジュール５は、ボタン型電池を含む。
【００４０】
他の実施形態において、前記電源モジュール５は、前記下部カバー１０の側壁に設けられた充電インタフェース、及び回路基板に設けられた充電回路、充電式電池をさらに含んでよく、様々な形態によって前記インテリジェント薬剤箱カバーに給電し、前記ボタン型電池の電力残量が足りない場合に液位の検出結果に影響を与えることを防止する。それに対応して、前記充電インタフェースに対して封止処理を行うことにより、液体が前記充電インタフェースを介して前記上部キャビティ内に入ることを回避する。
【００４１】
好ましくは、前記下部カバー１０の側壁に複数の溝１０１が均一に設けられることで、前記下部カバーの外周形状を変更し、使用時の下部カバー１０と使用者の掌との摩擦力を増大させ、薬剤箱カバー１００の開閉を容易にする。
【００４２】
一方、本実用新案は、さらに、薬剤箱本体と、前記薬剤箱本体の上端を蓋合し、前記プローブが前記薬剤箱本体内に差し込み、薬剤箱本体内の液体の液位の高さを自動測定する上記インテリジェント薬剤箱カバーとを含むインテリジェント薬剤箱に関する。
【００４３】
インテリジェント薬剤箱カバーの全ての電子素子が密閉された収容空間に位置するため、外部と導電可能な物理的な接触がなく、使用時には、液位測定モジュールだけが被測定液体に浸入して液位の高さを自動測定し、インテリジェント薬剤箱の安定性、正確性、及び耐久性を向上させる。ここで、上部カバーと下部カバーは、締まり嵌めなどの方式により取り外し可能に接続され、使いやすさが高く、薬剤箱へのメンテナンス操作の難易度を低減し、また、使用される部品が少なく、特別な防水密封設計を必要とせず、生産コストを低減する。
【００４４】
好ましくは、前記薬剤箱本体は、逆Ｌ型に設置され、薬剤箱本体の内部は、薬液が装着される空間もＬ型をなすように設けられる。一方では、前記インテリジェント薬剤箱と無人航空機との挿着及び取り付けを容易にし、もう一方では、散布過程における薬剤の揺れを回避し、液位の測定結果の精度を保証することができる。
【００４５】
第３の態様として、本実用新案は、さらに、上記インテリジェント薬剤箱が設けられ、前記通信モジュールに電気的に接続される航空機本体を含む航空機に関する。上記インテリジェント薬剤箱を用いるため、薬剤箱内の液位に対する検出精度が高く、前記無人航空機の散布精度が高く、安定性が高い。
【００４６】
以上は、本実用新案の一部の実施形態に過ぎず、当業者にとって、本実用新案の原理を逸脱しない限り、若干の改善や修正を行うことができ、これらの改善や修正も本実用新案の保護範囲とすることが指摘されるべきだ。
【図１】
2021504687.tif 000003
【国際調査報告】
2021504687.tif 000004
2021504687.tif 000005
2021504687.tif 000006
2021504687.tif 000007